(57)【特許請求の範囲】
【請求項１】
洗浄水により便器を洗浄して汚物を排出する洗い落とし式便器であって、
汚物受け面及び上縁部に位置するリム部を備えたボウル部と、
上記リム部に洗浄水を吐水して上記汚物受け面を洗浄する吐水部と、
上記汚物受け面と接続し汚物を排出する排水トラップ管路と、を有し、
上記汚物受け面の後壁の下端から上記汚物受け面に直角に下ろした汚物受け面の流路の断面積が、上記汚物受け面の後壁の下端より垂直方向に下ろした上記排水トラップ管路の入口の断面積より小さく設定されていることを特徴とする洗い落とし式便器。
【請求項２】
上記吐水部は、上記ボウル部内に旋回流を形成する請求項１記載の洗い落とし式便器。
【請求項３】
上記排水トラップ管路の入口から上記汚物受け面の後壁の下端から上記汚物受け面に直角に下ろした汚物受け面の流路の間の流路の各断面積が、上記排水トラップ管路の入口の断面積よりも小さく設定されている請求項１又は請求項２に記載の洗い落とし式便器。
【請求項４】
上記排水トラップ管路の入口から上記汚物受け面の後壁の下端から上記汚物受け面に直角に下ろした汚物受け面の流路の間の流路の各断面における便器前方側の曲率半径が、便器後方側の曲率半径より小さく設定されている請求項２記載の洗い落とし式便器。
【請求項５】
上記汚物受け面の後壁の下端から上記汚物受け面に直角に下ろした汚物受け面の流路の断面積が、上記排水トラップ管路内のいかなる流路の断面積より小さく設定されている請求項１乃至４の何れか１項に記載の洗い落とし式便器。
【発明の詳細な説明】
【技術分野】
【０００１】
本発明は、洗い落とし式便器に関する。
【背景技術】
【０００２】
近年の節水の要請に答えるために、洗浄時に６リットル〜3.8リットル等の洗浄水量で洗浄する節水型の洗い落とし式便器が提案されてきている。
従来から、例えば、特許文献１に示されているように、洗い落とし式便器はサイホン作用を発生せず、リフィールをする必要がないことから節水性に優れることが知られている。
【先行技術文献】
【特許文献】
【０００３】
【特許文献１】特開平８−１７７１１１号公報
【発明の概要】
【発明が解決しようとする課題】
【０００４】
しかしながら、特許文献１に記載されたような洗い落とし式便器では、サイホン作用を発生させないためにボウル部の下方及び排水トラップ管路の入口の流路径を大きくし、さらに、汚物の排出性能を向上させるために、排水トラップ管路の断面積を上流から下流まで大きくして洗浄水流量を増大させていた。
ここで、洗い落とし式便器は、本来的にサイホン作用を発生させず、汚物を負圧で引いて排出する力が生じないので、節水の要請により、洗浄水量を減少させると、洗浄水量の減少により汚物を排出させる力が低下し、それにより、浮遊汚物が便器のボウル部内に残ってしまうといった問題があった。
また、洗い落とし式便器では、ボウル部の下方及び排水トラップ管路の入口の流路径を大きくしているので、浮遊汚物が広がりやすく、また、洗浄水量を減少させると浮遊汚物が排出されずに、便器のボウル部内に残ってしまうという問題もあった。
さらに、トイレットペーパーが大量に使用された場合、洗浄水量が少ないと洗浄性能が十分でないため、排水トラップ管路内に紙詰まりが発生するという問題もあった。
【０００５】
従って、本発明は、上述した従来技術の問題点を解決するためになされたものであり、確実に浮遊汚物を排出することができる洗い落とし式便器を提供することを目的としている。
【課題を解決するための手段】
【０００６】
上記の目的を達成するために、本発明は、洗浄水により便器を洗浄して汚物を排出する洗い落とし式便器であって、汚物受け面及び上縁部に位置するリム部を備えたボウル部と、リム部に洗浄水を吐水して汚物受け面を洗浄する吐水部と、汚物受け面と接続し汚物を排出する排水トラップ管路と、を有し、汚物受け面の後壁の下端から汚物受け面に直角に下ろした汚物受け面の流路の断面積が、汚物受け面の後壁の下端より垂直方向に下ろした排水トラップ管路の入口の断面積より小さく設定されていることを特徴としている。
このように構成された洗い落とし式便器においては、汚物受け面の後壁の下端から汚物受け面に直角に下ろした汚物受け面の流路の断面積が、汚物受け面の後壁の下端より垂直方向に下ろした上記排水トラップ管路の入口の断面積より小さく設定されているので、汚物受け面内の溜水中に浮いている浮遊汚物を、溜水の水位下降と同時に、汚物受け面の後壁の下端から汚物受け面に直角に下ろした汚物受け面の流路内に集めてから排水トラップ管路内へ排出することができる。よって、ボウル部にある浮遊汚物を確実に排水トラップ管路内へ排出することができる。
さらに、汚物受け面の後壁の下端から汚物受け面に直角に下ろした汚物受け面の流路の断面積が、排水トラップ管路の入口の断面積より小さく設定されているので、使用者が大量にトイレットペーパー等を流した場合であっても、断面積が小さくなっている汚物受け面の流路部分で詰まらせることができる。これにより、使用者が便器の紙詰まりをボウル部の上面から見て確認することができる。
【０００７】
本発明において、好ましくは、吐水部は、ボウル部内に旋回流を形成することを特徴としている。
このように構成された本発明においては、吐水部がボウル部内に旋回流を形成するので、この旋回流により、汚物受け面内の溜水中に浮いている浮遊汚物を、溜水の水位下降と同時に、汚物受け面の中心に集めることができる。これにより、より確実に浮遊汚物を排出することができる。
【０００８】
本発明において、好ましくは、排水トラップ管路の入口から汚物受け面の後壁の下端から汚物受け面に直角に下ろした汚物受け面の流路の間の流路の各断面積が、排水トラップ管路の入口の断面積よりも小さく設定されていることを特徴としている。
このように構成された本発明においては、排水トラップ管路の入口から汚物受け面の後壁の下端から汚物受け面に直角に下ろした汚物受け面の流路の間の流路の各断面積が、排水トラップ管路の入口の断面積よりも小さく設定されているので、汚物受け面内の溜水中に浮いている浮遊汚物を、より確実に排水トラップ管路内へ排出することができる。
【０００９】
本発明において、好ましくは、排水トラップ管路の入口から汚物受け面の後壁の下端から汚物受け面に直角に下ろした汚物受け面の流路の間の流路の各断面における便器前方側の曲率半径が、便器後方側の曲率半径より小さく設定されていることを特徴としている。
このように構成された本発明においては、排水トラップ管路の入口から汚物受け面の後壁の下端から汚物受け面に直角に下ろした汚物受け面の流路の間の流路の各断面における便器前方側の曲率半径が、便器後方側の曲率半径より小さく設定されているので、溜水の水位下降と同時に、旋回流が曲率半径が小さな側の流路面に沿って流れるので、溜水中の浮遊汚物を、より確実に集めて排出することができる。
【００１０】
本発明において、好ましくは、汚物受け面の後壁の下端から汚物受け面に直角に下ろした汚物受け面の流路の断面積が、排水トラップ管路内のいかなる流路の断面積より小さく設定されていることを特徴としている。
このように構成された本発明においては、汚物受け面の後壁の下端から汚物受け面に直角に下ろした汚物受け面の流路の断面積が、排水トラップ管路内のいかなる流路の断面積より小さく設定されているので、汚物受け面内の溜水中に浮いている浮遊汚物を、溜水の水位下降と同時に、汚物受け面の流路内に集めてから排水トラップ管路内へ排出することができる。よって、ボウル部にある浮遊汚物をより確実に排水トラップ管路内へ排出することができる。さらに、使用者が大量にトイレットペーパー等を流した場合であっても、排水トラップ管路内ではなく、断面積が小さくなっている汚物受け面の流路部分で詰まらせることができる。これにより、使用者が便器の紙詰まりをボウル部の上面から見て確認することができる。
【発明の効果】
【００１１】
本発明の洗い落とし式便器によれば、浮遊汚物を確実に排出することが出来る。
【図面の簡単な説明】
【００１２】
【図１】本発明の実施形態による洗い落とし式便器の洗浄水タンクを取り外した状態の便器本体示す平面図である。
【図２】本発明の実施形態による洗い落とし式便器を示す縦断面図である。
【図３】図２のIII−III線に沿って見た断面図である。
【図４】図２のIV−IV線に沿って見た断面図である。
【図５】図２のＶ−Ｖ線に沿って見た断面図である。
【図６】図２のVI−VI線に沿って見た断面図である。
【図７】図２のVII−VII線に沿って見た断面図である。
【図８】図２のVIII−VIII線に沿って見た断面図である。
【発明を実施するための形態】
【００１３】
以下、図１乃至図３を参照して、本発明の実施形態による洗い落とし式便器を説明する。
図１は本発明の実施形態による洗い落とし式便器の洗浄水タンクを取り外した状態の便器本体示す平面図であり、図２は本発明の実施形態による洗い落とし式便器を示す縦断面図であり、図３は図２の切断線III−IIIに沿って見た各断面図である。
【００１４】
先ず、図１及び図２に示すように、本発明の実施形態による洗い落とし式便器１は、例えば、３．８リットル乃至６リットルの洗浄水で洗浄する、節水型の洗い落とし式の水洗大便器である。この洗い落とし式便器１は、便器本体２と、この便器本体２の後部に取付けられた洗浄水を貯水する洗浄水タンク３とを備え、この便器本体２には、この便器本体２の前方側の汚物を受けるボウル部４と、後方側の上部には導水路６と、導水路６の下方にはボウル部４の底部から延び汚物を外部へ排出するための排水トラップ管路８とが形成されている。洗浄水タンク３は、３．８リットル乃至６リットルの洗浄水量を貯水して、所定の洗浄水量を便器本体２に供給できるようになっている。
なお、本実施形態では、洗浄水タンクを備えた洗い落し式便器の例を示しているが、洗浄水タンクを備えず、水道管より直接的に便器に給水するタイプの便器にも、本発明は適用可能である。
【００１５】
ボウル部４は、ボウル形状の汚物受け面１０と、ボウル部４の上縁部に位置するオーバーハング形状のリム部１２を備えている。
汚物受け面１０は、この汚物受け面１０の底部の便器前方側に形成された前方流路１４と、この汚物受け面１０の便器後方側に形成された後壁１６を備えている。
前方流路１４は、排水トラップ管路８の入口底部に向かってなだらかに概ね直線状に傾斜するように形成されている。前方流路１４が排水トラップ管路８の入口底部に向かってなだらかに概ね直線状に傾斜するように形成されているので、汚物受け面１０の後壁１６の下端部１８から汚物受け面１０の前方流路１４に直角に下ろした汚物受け面１０の流路の断面IVの断面積が、下端部１８から汚物受け面１０の前方流路１４とを結んでできる流路の断面の断面積の中で最小に形成されている。
前方流路１４及び後壁１６を含む汚物受け面１０は、汚物受け面１０の後壁１６の下端部１８から垂直方向下方に下ろした断面周囲で排水トラップ管路８と接続する。
なお、本実施形態では、ボウル部４の上縁部に位置するリム部１２はオーバーハング形状であるが、ボックスリム形状でも、オープンリム形状でも良い。
【００１６】
リム部１２には、導水路６から洗浄水が供給される１つ又は２つの第１吐水口２０aが形成されている。第１吐水口２０aは、リム部１２に洗浄水を吐水してボウル部４内に吐水流を形成し、洗浄水が旋回しながら流下してボウル部４を洗浄できるようになっている。また、ボウル部４の中心下部には、導水路６から洗浄水が供給される第２吐水口２０ｂが形成され、この第２吐水口２０ｂから洗浄水が溜水に上下方向の旋回流を生じさせるようになっている。
なお、本実施形態では、第１吐水口２０aに加え、ボウル部４の中心下部に第２吐水口２０ｂを形成しているが、第１吐水口２０aのみを形成している便器であっても良い。
【００１７】
ボウル部４の下方には溜水により溜水部２２が形成されている。なお、図１においては、溜水部２２の溜水面Ｗ0を一点鎖線で示している。溜水部２２は、前方流路１４と後壁１６とを含む汚物受け面１０に囲まれて形成されている。従って、溜水の水位下降時には、溜水は、汚物受け面１０の前方流路１４及び後壁１６に囲まれた断面領域に集まるようになっている。
【００１８】
次に、排水トラップ管路８について説明する。排水トラップ管路８は、汚物受け面１０に接続して形成され且つ汚物受け面１０の後壁１６の下端部１８より垂直方向下方に下ろした断面から下流側に形成される。排水トラップ管路８の入口の流路は、後壁１６の下端部１８から垂直方向下方に下ろした断面Ｖとなっている。排水トラップ管路８は、この入口から上昇路が後方に延び、この上昇路には下降路が連続し、下降路の下端は排水ソケット（図示せず）を介して床下の排出管（図示せず）に接続されている。排水ソケットを接続する場合、排水トラップ管路８は、排水ソケットを含んでもよい。排水トラップ管路８の入口にかかる第１の断面の断面積は、排水トラップ管路８内での詰まりを防ぐために、排水トラップ管路８のいかなる部分の断面の断面積よりも小さくなっている。
【００１９】
次に、図２乃至図８により、汚物受け面１０の流路の断面の断面積と排水トラップ管路８の断面の断面積の関係を説明する。図３は、図２の汚物受け面１０の後壁１６の下端部１８と汚物受け面１０の前方流路１４の汚物受け面の流路の断面IIIを示すIII−III線に沿って見た断面図である。図４は、図２の汚物受け面１０の後壁１６の下端部１８から汚物受け面１０の底部近傍で前方流路１４に直角に下ろした汚物受け面の流路の断面IVを示すIV−IV線に沿って見た断面図である。図５は、図２の汚物受け面１０の後壁１６の下端部１８から垂直方向に下ろした排水トラップ管路８の断面Ｖを示すＶ−Ｖ線に沿って見た断面図である。図６は、図２の下端部１８からの排水トラップ管路８の断面VIをVI−VI線に沿って見た断面図である。図７は、図２の排水トラップ管路８の断面VIIをVII−VII線に沿って見た断面図である。図８は、図２の排水トラップ管路８の断面VIIIをVIII−VIII線に沿って見た断面図である。
【００２０】
図２乃至図４により、汚物受け面１０の後壁１６の下端部１８から汚物受け面１０の前方流路１４に直角に下ろした汚物受け面１０の流路の断面IVの断面積は、下端部１８から汚物受け面１０の前方流路１４に下ろした汚物受け面１０の流路の断面IIIの断面積より小さく形成されており、断面IIIから断面IVの間の流路の各断面の断面積は、断面IVに向けて小さくなるように形成されている。
断面IVから汚物受け面１０の後壁１６の下端部１８より垂直方向に下ろした排水トラップ管路８の入口の流路の断面Ｖの間の流路の各断面の断面積は、断面IVから断面Ｖに向けて大きくなっており、断面IVの断面積が最小となっている。
図４乃至図８により、断面IVの断面積は、断面III、断面Ｖ、断面VI、断面VII及び断面VIIIのいずれの断面の断面積よりも小さくなっており、排水トラップ管路８内のいかなる流路の断面積より小さく形成されている。
排水トラップ管路８の入口の流路の断面Ｖから汚物受け面１０の流路の断面IVの間の流路の各断面における便器前方側の前方流路１４の曲率半径が、便器後方側の曲率半径より小さく設定されている。図４により、汚物受け面１０の流路の断面IVは、便器前方側の曲率半径が、便器後方側の曲率半径より小さくなるように形成された楕円形に近い形状に形成されている。
【００２１】
本実施形態において、一例として、断面IVの高さは５６mm、幅は８０mmであり、断面Ｖの高さは６２mm、幅は８０mmであり、断面IVの断面積は約３４９０mm2、断面Ｖの断面積は約４２２０mm2となっている。
【００２２】
次に、本発明の実施形態による洗い落とし式便器の作用を説明する。
上述した洗い落とし式便器１によれば、洗い落とし式便器１において、汚物受け面１０の後壁１６の下端部１８から汚物受け面１０に直角に下ろした汚物受け面１０の流路の断面IVの断面積が、汚物受け面１０の後壁１６の下端部１８より垂直方向に下ろした排水トラップ管路８の入口の断面Ｖの断面積より、小さく設定されているので、汚物受け面１０内の溜水中に浮いている浮遊汚物を、溜水の水位下降と同時に、汚物受け面１０の後壁１６の下端部１８から汚物受け面１０に直角に下ろした汚物受け面１０の流路内に集めてから排水トラップ管路８内へ排出することができる。よって、ボウル部４にある浮遊汚物を確実に排水トラップ管路８内へ排出することができる。
さらに、汚物受け面１０の後壁１６の下端部１８から汚物受け面１０に直角に下ろした汚物受け面１０の流路の断面IVの断面積が、排水トラップ管路８の入口の断面Ｖの断面積より小さく設定されているので、使用者が大量にトイレットペーパー等を流した場合であっても、断面積が小さくなっている汚物受け面１０の流路部分で詰まらせることができる。これにより、使用者が便器の紙詰まりをボウル部４の上面から見て確認することができる。
【００２３】
本発明の実施形態による洗い落とし式便器１によれば、第１吐水口２０a及び第２吐水口２０ｂが、ボウル部４内に旋回流を形成するので、この旋回流により、汚物受け面１０内の溜水中に浮いている浮遊汚物を、溜水の水位下降と同時に、汚物受け面１０の中心に集めることができる。これにより、より確実に浮遊汚物を排出することができる。
【００２４】
本発明の実施形態による洗い落とし式便器１によれば、排水トラップ管路８の入口の断面Ｖから、汚物受け面１０の後壁１６の下端部１８から汚物受け面１０に直角に下ろした汚物受け面１０の流路の断面IVの間の流路の各断面積が、排水トラップ管路８の入口の断面Ｖの断面積より小さく設定されているので、汚物受け面１０内の溜水中に浮いている浮遊汚物を、より確実に溜水トラップ管路８内へ排出することができる。
【００２５】
本発明の実施形態による洗い落とし式便器１によれば、排水トラップ管路８の入口の断面Ｖから汚物受け面１０の後壁１６の下端部１８から汚物受け面１０に直角に下ろした汚物受け面１０の流路の断面IVの間の流路の各断面積における便器前方側の曲率半径が、便器後方側の曲率半径より小さく設定されているので、溜水の水位下降と同時に、旋回流が曲率半径が小さな側の流路面に沿って流れるので、溜水中の浮遊汚物を、より確実に集めて排出することができる。
【００２６】
本発明の実施形態による洗い落とし式便器１によれば、洗い落とし式便器１において、汚物受け面１０の後壁１６の下端部１８から汚物受け面１０に直角に下ろした汚物受け面１０の流路の断面IVの断面積が、排水トラップ管路８内のいかなる流路の断面積より小さく設定されているので、汚物受け面１０内の溜水中に浮いている浮遊汚物を、溜水の水位下降と同時に、汚物受け面１０の流路内に集めてから排水トラップ管路８内へ排出することができる。よって、ボウル部４にある浮遊汚物をより確実に排水トラップ管路８内へ排出することができる。さらに、使用者が大量にトイレットペーパー等を流した場合であっても、排水トラップ管路８内ではなく、断面積が小さくなっている汚物受け面１０の流路部分で詰まらせることができる。これにより、使用者が便器の紙詰まりをボウル部４の上面から見て確認することができる。
【符号の説明】
【００２７】
１          洗い落とし式便器
２          便器本体
３          洗浄水タンク
４          ボウル部
６          導水路
８          排水トラップ管路
１０          汚物受け面
１２          リム部
１４          前方流路
１６          後壁部
１８          下端部
２０a         第１吐水口
２０ｂ        第２吐水口
２２          溜水部
III         断面III
IV          断面IV
Ｖ          断面Ｖ
VI          断面VI
VII         断面VII
VIII        断面VIII
Ｗ0         溜水面
【図１】
0005435408.tif 000002
【図２】
0005435408.tif 000003
【図３】
0005435408.tif 000004
【図４】
0005435408.tif 000005
【図５】
0005435408.tif 000006
【図６】
0005435408.tif 000007
【図７】
0005435408.tif 000008
【図８】
0005435408.tif 000009